(57)【要約】【課題】略水平方向に回転するドラム内で洗濯物を洗濯、すすぎ、脱水、乾燥するドラム式洗濯乾燥機において、送風加熱装置の組立作業性を向上するとともに、コストを低減することを目的とする。【解決手段】外槽３と送風加熱装置３３とを連結するダクト７０を備え、このダクト７０に、貫通孔７１を設けこの貫通孔７１に嵌合し中央の透孔７３にセンサ６８を挿入する弾性体からなる第１のホルダ７２と、センサ６８の端面フランジ７４を第１のホルダ７２と挟持しかつリード線７５を覆う第２のホルダ７６と、この第２のホルダ７６と第１のホルダ７２をダクト７０に固定する固定金具７８を設けることにより、ダクト７０に取り付けたセンサ６８のリード線７５の保護を強固にすることができ、取付部の信頼性を向上できるとともに、リード線７５の断線を防止することができる。【選択図】図７
2006055654.tif 000002
【特許請求の範囲】
【請求項１】
略水平方向に回転する回転ドラムと、この回転ドラムを内包した外槽と、この外槽を覆うボデーと、前記回転ドラムを回転させるモータと、前記外槽に加熱風を送風するファンとヒータを内蔵した送風加熱装置と、前記外槽と前記送風加熱装置とを連結するダクトを備え、このダクトに、貫通孔を設けこの貫通孔に嵌合し中央の透孔にセンサを挿入する弾性体からなる第１のホルダと、前記センサの端面フランジを第１のホルダと挟持しかつリード線を覆う第２のホルダと、この第２のホルダと前記第１のホルダを前記ダクトに固定する固定金具を設けたドラム式洗濯乾燥機。
【請求項２】
略水平方向に回転する回転ドラムと、この回転ドラムを内包した外槽と、この外槽を覆うボデーと、前記回転ドラムを回転させる第１のモータと、前記外槽に加熱風を送風するファンとヒータを内蔵した送風加熱装置とを備え、前記送風加熱装置は、回転軸と、この回転軸の一方に固定したファンと、この回転軸に圧入した軸受けと、この軸受けを着脱可能に収納し渦室を形成するファンケースと、前記軸受けをスラスト方向に付勢するばねと、前記軸受けに付勢力を与えた状態で固定する止め輪と、前記回転軸の他方に固定したプーリーと、前記ファンケースに前記プーリーを駆動する第２のモータを固着したドラム式洗濯乾燥機。
【請求項３】
略水平方向に回転する回転ドラムと、この回転ドラムを内包した外槽と、この外槽を覆うボデーと、前記回転ドラムを回転させるモータと、前記外槽に加熱風を送風するヒータを内蔵し回転軸を有するファンとファンを回転させるプーリーを有する送風加熱装置とを備え、前記プーリーは、回転方向に回り止めを施した嵌合部を耐熱材料にて一体成型し、前記嵌合部を回転軸の軸方向に着脱自在に固定したドラム式洗濯乾燥機。
【請求項４】
略水平方向に回転する回転ドラムと、この回転ドラムを内包した外槽と、この外槽を覆うボデーと、前記回転ドラムを回転させるモータと、前記外槽に加熱風を送風するヒータを内蔵しファンを有する送風加熱装置とを備え、前記ファンは、ファンケースに回転自在に固定した回転軸にファンと一体或いは別体で耐熱材料にて成形し回転方向に回り止めを施した固定部を軸方向に着脱自在に固定したドラム式洗濯乾燥機。
【請求項５】
略水平方向に回転する回転ドラムと、この回転ドラムを内包した外槽と、この外槽を覆うボデーと、前記回転ドラムを回転させるモータと、前記外槽に加熱風を送風するファンとヒータを内蔵した送風加熱装置とを備え、前記ヒータは、第１のヒータと第２のヒータからなり、それぞれのヒータの少なくとも２個所を挟持する断面略Ｚ状で平面形状が略Ｈ状の一対の保持金具により固着したドラム式洗濯乾燥機。
【発明の詳細な説明】
【技術分野】
【０００１】
本発明は、略水平方向に回転するドラム内で洗濯物を洗濯、すすぎ、脱水、乾燥するドラム式洗濯乾燥機に関するものである。
【背景技術】
【０００２】
従来、この種のドラム式洗濯乾燥機は図８から図１０に示すように構成していた。以下、その構成について説明する。
【０００３】
図に示すように、回転ドラム１は、外周部に多数の通水孔２を全面に設け、外槽３内に回転自在に配設している。回転ドラム１の回転中心にドラム回転軸４の一端を略水平方向に固定し、ドラム回転軸４の他端にドラムプーリー５を固定している。第１のモータ（モータ）６は、リブベルト７によりドラムプーリー５と連結し、ドラム１を回転駆動する。
【０００４】
外槽３は、ボデー８よりばね体９で揺動可能に吊り下げ、防振ダンパー１０により脱水起動時の振動が低減され、定常脱水時の振動がボデー８に伝達されないように防振支持するとともに、脱水時の振動を低減するバランサー１１を設けている。略筒状のパッキング部材１２は、回転ドラム１の前面開口部に対応する外槽３の開口部とボデー８の前面開口部との間を連結するものである。ボデー８の前面開口部に窓１３を開閉自在に設けている。
【０００５】
送風加熱装置１４は、外槽３の上部に位置し、一端をパッキング部材１２に連結して外槽３と連通状態とし、他端を外槽３の下部と連結するダクト１５と接続している。また、送風加熱装置１４は、前方にボス部１６を設けボデー８の取付孔１７に挿入固着し、後方は、取付部１８をボデー８に固定された金具１９にねじで固定している。ファン２０は、送風加熱装置１４の一部を形成するファンケース２１に内外輪共に圧入固着された軸受け部２２の回転軸２３に圧入またはラジアル方向からむしねじ２４で固定されている。プーリー２５は、熱可塑性樹脂にて成形され回転軸２３に圧入またはラジアル方向からねじ２６で固定されている。
【０００６】
ヒータ２７は、回転ドラム１内の洗濯物を加熱し、上下２段に成型した一本のシーズヒータで、外側は上を挟持し、内側は下を挟持する段付き帯状の保持金具２８、２９一対にて、上２個所、下１個所のねじで送風加熱装置１４に固着されている。センサ３０は、回転ドラム１内の温度を検知するもので、ダクト１５の貫通孔３１に嵌合されたゴム製のホルダ３２に挿入されている。
【０００７】
上記構成において動作を説明すると、窓１３を開いて回転ドラム１内に洗濯物を投入し、運転を開始すると、洗濯行程では、回転ドラム１は第１のモータ６によって低速（約５３ｒｐｍ）にて回転駆動され、回転ドラム１内の洗濯物は持ち上げられて水面上に落下される。こうして洗濯行程が進行する。すすぎ行程においても洗濯行程と同様の動作を行う。
【０００８】
脱水行程では、第１のモータ６により回転ドラム１は高速（約１０００ｒｐｍ）で回転駆動され、洗濯物は遠心脱水される。このとき、回転ドラム１内の洗濯物の片寄り、すなわちアンバランスが生じると、回転ドラム１、外槽３などの揺動体は振動（揺動）するが、脱水起動時は防振ダンパー１０により揺動体の振動を減衰し、定常脱水時は防振ダンパー１０の防振機構によりボデー８に伝達されることはない。
【０００９】
また、外槽３の開口部とボデー８の前面開口部との間を略筒状のパッキング部材１２により連結しているが、揺動体の揺動により略筒状のパッキング部材１２がたわむことにより、略筒状のパッキング部材１２を通してボデー８に振動が伝達されることはない。
【００１０】
乾燥行程では、回転ドラム１は第１のモータ６によって低速にて回転駆動され、送風加熱装置１４の第２のモータ（図示せず）により駆動されるファン２０により生じる風をヒータ２７により加熱し、回転ドラム１内に送風して洗濯物を加熱乾燥させる。
【発明の開示】
【発明が解決しようとする課題】
【００１１】
しかしながら、このような従来の構成では、ダクト１５に取り付けられたセンサ３０は、貫通孔３１に嵌合されたゴム製のホルダ３２に挿入されているため、容易に抜ける恐れがある上、リード線の保護がないため、リード線が断線し、異常停止する恐れがあった。
【００１２】
また、送風加熱装置１４のファン２０は、軸受け部２２の内外輪が共に圧入にて固定されているため、組立作業や分解作業が困難なばかりでなく、軸受け部２２内の隙間設定が非常に難しくなり、軸受け部２２からの異常音発生の恐れがあった。
【００１３】
また、送風加熱装置１４のプーリー２５は、熱可塑性樹脂にて成型され、回転軸２３に圧入されているため、組立作業時の軸心合わせが極めて困難であり、プーリー２５の偏心や面振れが発生し、軸受け部２２からの異常音発生の恐れがあるばかりでなく、熱可塑性樹脂の圧入にて回転方向の固定をしているため、高温状態では、プーリー２５と回転軸２３との熱膨張が異なり、圧入力が弱まりプーリー２５のみの空回りが発生し、異常停止する恐れがあった。
【００１４】
また、プーリー２５をラジアル方向からねじ２６で固定しているものは、ねじ２６によるダイナミックバランスのずれが生じ、軸受け部２２からの異常音発生の恐れがあるばかりでなく、高温状態では、プーリー２５とねじ２６との熱膨張が異なるため締付トルクが弱まってねじ２６が緩んでしまい、プーリー２５のみの空回りが発生し、異常停止する恐れがあった。
【００１５】
また、送風加熱装置１４のファン２０は、回転軸２３に圧入されているため、組立作業時の軸心合わせが極めて困難であり、ファン２０の偏心や面振れが発生し、軸受け部２２からの異常音発生の恐れがあるばかりでなく、ファン２０が熱可塑性樹脂製の場合、圧入にて回転方向の固定をしているため、高温状態では、ファン２０と回転軸２３との熱膨張が異なり、圧入力が弱まり回転軸２３のみの空回りが発生し、異常停止する恐れがあった。また、ファン２０をラジアル方向からむしねじ２４で固定しているものは、むしねじ２４によるダイナミックバランスのずれが生じ、軸受け部２２からの異常音発生の恐れがあった。
【００１６】
また、送風加熱装置１４のヒータ２７は、一本のシーズヒータを上下２段に成型しているので、加工方法が難しくコスト高となるばかりでなく、外側は上を挟持し、内側は下を挟持する段付き帯状の保持金具２８、２９一対にて、上２個所、下１個所のねじで送風加熱装置１４に固着しているため、長い帯状の保持金具２８、２９を取り扱うのに手間がかかるばかりでなく、ねじの締め付け箇所も多く作業性が悪いものであった。
【００１７】
本発明は上記従来の課題を解決するもので、ダクトに取り付けられたセンサのリード線を保護し強固に固定することにより、取付部の信頼性を向上するとともに、リード線の断線を防止することを第１の目的としている。
【００１８】
また、送風加熱装置のファンの軸受け部を、内輪圧入、外輪融合にして予圧を付加することにより軸受け部の組立性を向上するとともに、信頼性を向上することを第２の目的としている。
【００１９】
また、送風加熱装置のプーリーを強固な部材により回り止めを形成し軸方向より固定することにより、偏心や面部れを防止するばかりでなく、プーリーの空回りによる異常停止を防止することを第３の目的としている。
【００２０】
また、送風加熱装置のファンを強固な部材により回り止めを形成し、軸方向より固定することにより、偏心や面部れを防止するばかりでなく、回転軸の空回りによる異常停止を防止することを第４の目的としている。
【００２１】
また、送風加熱装置のヒータを２本に分け、保持金具を小型化することにより、コストを低減するとともに、作業性を向上することを第５の目的としている。
【課題を解決するための手段】
【００２２】
本発明は上記第１の目的を達成するために、略水平方向に回転し洗濯物を収容する回転ドラムに温風を送風する送風加熱装置と、回転ドラムを内包した外槽に連結するダクトを備え、このダクトに、貫通孔を設けこの貫通孔に嵌合し中央の透孔にセンサを挿入する弾性体からなる第１のホルダと、センサの端面フランジを第１のホルダと挟持しかつリード線を覆う第２のホルダと、第２のホルダと第１のホルダをダクトに固定する固定金具を設けたものである。
【００２３】
これにより、ダクトに取り付けられたセンサのリード線の保護を強固にすることができ、取付部の信頼性を向上できるとともに、リード線の断線を防止することができる。
【００２４】
また、第２の目的を達成するために、略水平方向に回転し洗濯物を収容する回転ドラムに温風を送風する送風加熱装置の軸受けを回転軸に圧入し、この軸受けを着脱可能に収納するファンケースに軸受けのスラスト方向に付勢するばねを挿入し、軸受けに付勢力を与えた状態で固定する止め輪を設けたものである。
【００２５】
これにより、軸受けをファンケースに容易に着脱することができ、組立作業性を向上することができ、軸受けに付勢力を与えた状態で固定できているため、軸受け内部の微振動による異常音の発生を防止できるばかりでなく、軸受けの隙間設定も通常のものでよく、コストを低減することができる。
【００２６】
また、第３の目的を達成するために、略水平方向に回転し洗濯物を収容する回転ドラムに温風を送風する送風加熱装置のプーリーの嵌合部を耐熱材料にて一体成形し、かつ回転方向に回り止めを施し、軸方向より着脱自在に固定したものである。
【００２７】
これにより、プーリーを回転軸に容易に着脱することができ、作業のばらつきによる偏心や面振れを防止することができ軸受け部の異常音発生を防止することができ、また、嵌合部を耐熱材料にて形成しているので、嵌合部の緩みを防止でき、プーリーのみの空回りによる異常停止を防止できる。
【００２８】
また、第４の目的を達成するために、略水平方向に回転し洗濯物を収容する回転ドラムに温風を送風する送風加熱装置のファンの固定部を耐熱材料にて成形し、かつ回転方向に回り止めを施し軸方向より着脱自在に固定したものである。
【００２９】
これにより、ファンを回転軸に容易に着脱することができ、作業のばらつきによる偏心や面振れを防止することができ、軸受け部の異常音発生を防止かることができ、また、固定部を耐熱材料にて形成しているので、固定部の緩みを防止でき、回転軸のみの空回りによる異常停止を防止できる。
【００３０】
また、第５の目的を達成するために、略水平方向に回転し洗濯物を収容する回転ドラムに温風を送風する送風加熱装置のヒータは、第１と第２のヒータからなり、それぞれのヒータの少なくとも２個所を挟持する断面略Ｚ状で平面形状が略Ｈ状の一対の保持金具により固着したものである。
【００３１】
これにより、ヒータを平面形状にでき、加工性を向上できて、コストを低減することができ、また、保持金具の小型化と２個所以下のねじで固着できるので、作業性を向上することができる。
【発明の効果】
【００３２】
本発明における請求項１に記載の発明によれば、略水平方向に回転する回転ドラムと、この回転ドラムを内包した外槽と、この外槽を覆うボデーと、前記回転ドラムを回転させるモータと、前記外槽に加熱風を送風するファンとヒータを内蔵した送風加熱装置と、前記外槽と前記送風加熱装置とを連結するダクトを備え、このダクトに、貫通孔を設けこの貫通孔に嵌合し中央の透孔にセンサを挿入する弾性体からなる第１のホルダと、前記センサの端面フランジを第１のホルダと挟持しかつリード線を覆う第２のホルダと、この第２のホルダと前記第１のホルダを前記ダクトに固定する固定金具を設けたから、ダクトに取り付けたセンサのリード線の保護を強固にすることができ、取付部の信頼性を向上できるとともに、リード線の断線を防止することができる。
【発明を実施するための最良の形態】
【００３３】
請求項１に記載の発明は、略水平方向に回転する回転ドラムと、この回転ドラムを内包した外槽と、この外槽を覆うボデーと、前記回転ドラムを回転させるモータと、前記外槽に加熱風を送風するファンとヒータを内蔵した送風加熱装置と、前記外槽と前記送風加熱装置とを連結するダクトを備え、このダクトに、貫通孔を設けこの貫通孔に嵌合し中央の透孔にセンサを挿入する弾性体からなる第１のホルダと、前記センサの端面フランジを第１のホルダと挟持しかつリード線を覆う第２のホルダと、この第２のホルダと前記第１のホルダを前記ダクトに固定する固定金具を設けたものであり、ダクトに取り付けたセンサのリード線の保護を強固にすることができ、取付部の信頼性を向上できるとともに、リード線の断線を防止することができる。
【００３４】
請求項２に記載の発明は、略水平方向に回転する回転ドラムと、この回転ドラムを内包した外槽と、この外槽を覆うボデーと、前記回転ドラムを回転させる第１のモータと、前記外槽に加熱風を送風するファンとヒータを内蔵した送風加熱装置とを備え、送風加熱装置は、回転軸と、この回転軸の一方に固定したファンと、この回転軸に圧入した軸受けと、この軸受けを着脱可能に収納し渦室を形成するファンケースと、前記軸受けをスラスト方向に付勢するばねと、前記軸受けに付勢力を与えた状態で固定する止め輪と、前記回転軸の他方に固定したプーリーと、前記ファンケースに前記プーリーを駆動する第２のモータを固着したものであり、軸受けをファンケースに容易に着脱することができ、組立作業性を向上することができ、軸受けに付勢力を与えた状態で固定できているため、軸受け内部の微振動による異常音の発生を防止できるばかりでなく、軸受けの隙間設定も通常のものでよく、コストを低減することができる。
【００３５】
請求項３に記載の発明は、略水平方向に回転する回転ドラムと、この回転ドラムを内包した外槽と、この外槽を覆うボデーと、前記回転ドラムを回転させるモータと、前記外槽に加熱風を送風するヒータを内蔵し回転軸を有するファンとファンを回転させるプーリーを有する送風加熱装置とを備え、前記プーリーは、回転方向に回り止めを施した嵌合部を耐熱材料にて一体成型し、前記嵌合部を回転軸の軸方向に着脱自在に固定したものであり、プーリーを回転軸に容易に着脱することができ、作業のばらつきによる偏心や面振れを防止することができ、軸受け部の異常音発生を防止することができ、また、嵌合部を耐熱材料にて形成しているので、嵌合部の緩みを防止でき、プーリーのみの空回りによる異常停止を防止できる。
【００３６】
請求項４に記載の発明は、略水平方向に回転する回転ドラムと、この回転ドラムを内包した外槽と、この外槽を覆うボデーと、前記回転ドラムを回転させるモータと、前記外槽に加熱風を送風するヒータを内蔵しファンを有する送風加熱装置とを備え、前記ファンは、ファンケースに回転自在に固定した回転軸にファンと一体或いは別体で耐熱材料にて成形し回転方向に回り止めを施した固定部を軸方向に着脱自在に固定したものであり、ファンを回転軸に容易に着脱することができ、作業のばらつきによる偏心や面振れを防止することができ軸受け部の異常音発生を防止することができ、また、固定部を耐熱材料にて形成しているので、固定部の緩みを防止でき、回転軸のみの空回りによる異常停止を防止できる。
【００３７】
請求項５に記載の発明は、略水平方向に回転する回転ドラムと、この回転ドラムを内包した外槽と、この外槽を覆うボデーと、前記回転ドラムを回転させるモータと、前記外槽に加熱風を送風するファンとヒータを内蔵した送風加熱装置とを備え、前記ヒータは、第１のヒータと第２のヒータからなり、それぞれのヒータの少なくとも２個所を挟持する断面略Ｚ状で平面形状が略Ｈ状の一対の保持金具により固着したものであり、ヒータを平面形状にでき、加工性を向上できて、コストを低減することができ、また、保持金具の小型化と２個所以下のねじで固着できるので、作業性を向上することができる。
【００３８】
以下、本発明の実施の形態について、図面を参照しながら説明する。なお、この実施の形態によって本発明が限定されるものではない。
【００３９】
（実施の形態１）
図１は、本発明の実施の形態１におけるドラム式洗濯乾燥機の断面図であり、図２は、本発明の実施の形態１におけるドラム式洗濯乾燥機の斜視図である。なお、従来例と同じ構成のものは同一符号を付して説明を省略する。
【００４０】
図１および図２に示すように、送風加熱装置３３は、前後方向の両端に取付フランジ部３４を延設し、この取付フランジ部３４をボデー８の上部３６に配置し、ねじ３６で固定している。
【００４１】
送風加熱装置３３に設けた回転軸３７は、図３および図４に示すように、軸受け３８、３９をスペーサー４０を挟んで圧入している。この軸受け３８、３９の外周は、送風加熱装置３３の渦室を形成するファンケース４１に一体に成形されたハウジング部４２であり、軸受け３８、３９を着脱可能な融合状態で挿入保持している。このハウジング部４２には、波ワッシャー等のばね４３を挿入し、軸受け３８からスペーサー４０を介して軸受け３９に付勢した状態で固定する止め輪４４を溝部４５に係止している。
【００４２】
プーリー４６は、寸法精度の高い焼結合金等の耐熱材料で形成した嵌合部４７を一体成形し、Ｄカット等の回り止め４８を有し、回転軸３７の上端Ｄカット部４９に嵌合されナット５０により軸方向に着脱可能に固定している。
【００４３】
ファン５１は、羽根部５２をアルミ板で形成し、中央のボス部５３をアルミダイキャストで形成し、回転軸３７の下端Ｄカット部５４に嵌合し、中央にＤカット等の回り止め５５を設けたステンレス板等の耐熱部材により形成した固定部５６を介してナット５７により軸方向に着脱自在に固定している。
【００４４】
第２のモータ５８は、図５に示すように、ファンケース４１の延設面に固着し、この第２のモータ５８に固着されたモータプーリー５９の回転をベルト６０を介してプーリー４６に伝達する。
【００４５】
ヒータ６１は、図６に示すように、平面形状を略Ｗ状に形成した第１ヒータ６２と第２ヒータ６３のシーズヒータ２本からなり、送風加熱装置３３のファン５１より外槽３側に配置し、第１のヒータ６２、第２のヒータ６３の略中央の各々２個所を挟持する断面略Ｚ状で平面形状が略Ｈ状の一対のばね製を有するステンレス製の保持金具６４、６５により、上側固定１個所、下側固定兼送風加熱装置３３に絶縁スペーサー６６、６７を介して１個所のねじ６８で固着している。
【００４６】
センサ６９は、図７に示すように、外槽３の下部と連結し上端を送風加熱装置３３に連結するダクト７０に設け、貫通孔７１に挿入されたゴム等の弾性体からなる第１のホルダ７２の中央に設けた透孔７３に挿入保持し、センサ６９の端面フランジ７４を第１のホルダ７２と挟持し、かつセンサ６９のリード線７５を覆うゴム等の弾性体からなる第２のホルダ７６を中央に切り欠き部７７を有する固定金具７８によりダクト７０にねじ７９により固定している。
【００４７】
上記構成において動作を説明すると、窓１３を開いて回転ドラム１内に洗濯物を投入し、運転を開始すると、洗濯行程では、回転ドラム１は第１のモータ６によって低速（約５３ｒｐｍ）で回転駆動され、回転ドラム１内の洗濯物は持ち上げられて水面上に落下される。こうして洗濯行程が進行する。すすぎ行程においても洗濯行程と同様の動作を行う。
【００４８】
脱水行程では、回転ドラム１は第１のモータ６により高速（約１０００ｒｐｍ）で回転駆動され、洗濯物は遠心脱水される。このとき、回転ドラム１内の洗濯物の片寄り、すなわちアンバランスが生じると、回転ドラム１、外槽３などの揺動体は振動（揺動）するが、脱水起動時は防振ダンパー１０により揺動体の振動を減衰し、定常脱水時は防振ダンパー１０の防振機構によりボデー８に伝達されることはない。また、外槽３の開口部とボデー８の前面開口部との間を略筒状のパッキング部材１２により連結しているが、揺動体の揺動により略筒状のパッキング部材１２がたわむことにより、略筒状のパッキング部材１２を通してボデー８に振動が伝達されることはない。
【００４９】
乾燥行程では、回転ドラム１は第１のモータ６によって低速にて回転駆動され、送風加熱装置３３の第２のモータ５８により駆動されるファン５１により生じる風をヒータ６２、６３により加熱し、回転ドラム１内に送風して洗濯物を加熱乾燥させる。
【００５０】
ここで、送風加熱装置３３の両端に取付フランジ部３４を延設し、ボデー８の上部３５に配置しているため、ボデー８の上部３５に送風加熱装置３３の取付フランジ部３４を乗せた後固定することができ、組立作業性を向上することができ、また、送風加熱装置３３の両端の取付フランジ部３４でボデー８を固定でき、ボデー８の強度部材として付加でき、コストを低減することができる。
【００５１】
また、送風加熱装置３３の軸受け３８、３９を回転軸３７に圧入し、この軸受け３８、３９を着脱可能に収納するファンケース４１に軸受け３８、３９のスラスト方向に付勢するばね４３を挿入し、軸受け３８、３９に付勢力を与えた状態で固定する止め輪４４を設けているため、軸受け３８、３９をファンケース４１に容易に着脱することができ、組立作業性を向上することができ、軸受け３８、３９に付勢力を与えた状態で固定できているため、軸受け３８、３９内部の微振動による異常音の発生が防止できるばかりでなく、軸受け３８、３９の隙間設定も通常のものでよく、コストを低減することができる。
【００５２】
また、送風加熱装置３３のプーリー４６の嵌合部４７を耐熱材料にて一体成形し、かつ回転方向に回り止め４８を施し、軸方向より着脱自在に固定しているため、プーリー４６を回転軸３７に容易に着脱することができ、作業のばらつきによる偏心や面振れを防止することができ、軸受け３８、３９の異常音発生を防止することができ、また、嵌合部４７が耐熱材料にて形成しているので、嵌合部４７の緩みを防止でき、プーリー４６のみの空回りによる異常停止を防止できる。
【００５３】
また、送風加熱装置３３のファン５１の固定部５６を耐熱材料にて成形し、かつ回転方向に回り止め５５を施し、軸方向より着脱自在に固定しているため、ファン５１を回転軸３７に容易に着脱することができ、作業のばらつきによる偏心や面振れを防止することができ、軸受け３８、３９の異常音発生を防止することができ、また、固定部５６を耐熱材料にて形成しているので、固定部５６の緩みを防止でき、回転軸３７のみの空回りによる異常停止を防止できる。
【００５４】
また、送風加熱装置３３のヒータ６１は、第１と第２のヒータ６２、６３からなり、それぞれのヒータ６２、６３の少なくとも２個所を挟持する断面略Ｚ状で平面形状が略Ｈ状の一対の保持金具６４、６５により固着しているため、ヒータ６２、６３を平面形状にでき、加工性を向上できて、コストを低減することができ、また、保持金具６４、６５の小型化と２個所のねじ６８で固着できるので、作業性を向上することができる。
【００５５】
また、送風加熱装置３３と、回転ドラム１を内包した外槽３に連結するダクト７０に貫通孔７１を設け、この貫通孔７１に嵌合し中央の透孔７３にセンサ６９を挿入する弾性体からなる第１のホルダ７２と、センサ６９の端面フランジ７４を第１のホルダ７２と挟持しかつリード線７５を覆う第２のホルダ７６と、第２のホルダ７６と第１のホルダ７２をダクト７０に固定する固定金具７８を設けているため、ダクト７０に取り付けたセンサ６９のリード線７５の保護を強固にすることができ、取付部の信頼性を向上できるとともに、リード線７５の断線を防止することができる。
【００５６】
また、第２のモータ５８は、ファンケース４１の延設面に固着しているため、この第２のモータ５８に固着されたモータプーリー５９とファンケース４１のプーリー４６の平行度を保持でき、回転を伝達するベルト６０のずれによる摺動音を防止することができる。
【産業上の利用可能性】
【００５７】
以上のように、本発明にかかるドラム式洗濯機は、ダクトに取り付けられたセンサのリード線を保護し強固に固定することにより、取付部の信頼性を向上するとともに、リード線の断線を防止することができるので、回転するドラム内で洗濯物を洗濯、すすぎ、脱水、乾燥するドラム式洗濯乾燥機に広く適用できるものである。
【図面の簡単な説明】
【００５８】
【図１】本発明の実施の形態１におけるドラム式洗濯乾燥機の断面図
【図２】同ドラム式洗濯乾燥機の一部切欠した斜視図
【図３】同ドラム式洗濯乾燥機の送風加熱装置の断面図
【図４】同ドラム式洗濯乾燥機の送風加熱装置の軸受け部の拡大断面図
【図５】同ドラム式洗濯乾燥機の送風加熱装置の一部切欠した上面図
【図６】同ドラム式洗濯乾燥機の送風加熱装置のヒータと保持金具の拡大断面図
【図７】同ドラム式洗濯乾燥機のセンサ取付部の拡大断面図
【図８】従来のドラム式洗濯乾燥機の断面図
【図９】同ドラム式洗濯乾燥機の送風加熱装置の軸受け部の拡大断面図
【図１０】（ａ）同ドラム式洗濯乾燥機のヒータと保持金具の上面図（ｂ）同ドラム式洗濯乾燥機のヒータと保持金具の断面図
【符号の説明】
【００５９】
１  回転ドラム
３  外槽
６  第１のモータ（モータ）
８  ボデー
３３  送風加熱装置
５１  ファン
６１  ヒータ
６８  センサ
７０  ダクト
７１  貫通孔
７２  第１のホルダ
７３  透孔
７４  端面フランジ
７５  リード線
７６  第２のホルダ
７８  固定金具
【図１】
2006055654.tif 000003
【図２】
2006055654.tif 000004
【図３】
2006055654.tif 000005
【図４】
2006055654.tif 000006
【図５】
2006055654.tif 000007
【図６】
2006055654.tif 000008
【図７】
2006055654.tif 000009
【図８】
2006055654.tif 000010
【図９】
2006055654.tif 000011
【図１０】
2006055654.tif 000012